(57)【要約】【課題】包装された複数本のガラス管を簡単な構成によって安全に輸送することができるガラス管包装体を提供する。【解決手段】複数本の長尺ガラス管を包装するためのガラス管包装体であって、前記複数本の長尺ガラス管を包むためのダンボール部材と、前記長尺ガラス管の長手方向に沿った２箇所のエヤリ点において前記長尺ガラス管を保持するように前記ダンボール部材に設けられたエヤリ点保持手段とを具備する。【選択図】  図６
2004203391.tif 000002
【特許請求の範囲】
【請求項１】
少なくとも１本の長尺ガラス管を包装するためのガラス管包装体であって、
前記少なくとも１本の長尺ガラス管を包むためのダンボール部材と、
前記長尺ガラス管の長手方向に沿った２箇所のエヤリ点において前記長尺ガラス管を保持するように前記ダンボール部材に設けられたエヤリ点保持手段とを具備することを特徴とするガラス管包装体。
【請求項２】
前記エヤリ点は、前記長尺ガラス管が凸状にも凹状にも撓まないように前記長尺ガラス管を支持することができる位置を示す、請求項１記載のガラス管包装体。
【請求項３】
前記エヤリ点は、全長Ｌの前記長尺ガラス管の両端から中央に向かって距離０．２１１３Ｌだけそれぞれ離れた位置を示す、請求項１記載のガラス管包装体。
【請求項４】
前記長尺ガラス管は、蛍光灯である、請求項１記載のガラス管包装体。
【請求項５】
前記ダンボール部材は、前記少なくとも１本の長尺ガラス管を載せるために形成された底板部と、
前記少なくとも１本の長尺ガラス管の長手方向に沿って前記少なくとも１本の長尺ガラス管を両側から囲むように前記底板部の両端から前記底板部に垂直な方向に沿って前記底板部と一体に形成された第１側板部および第２側板部と、
前記第１側板部から前記底板部に平行な方向に沿って前記少なくとも１本の長尺ガラス管を覆うように前記第１側板部と一体に形成された第１天板と、
前記第２側板部から前記底板部に平行な方向に沿って前記第１天板を覆うように前記第２側板部と一体に形成された第２天板とを含んでいる、請求項１記載のガラス管包装体。
【請求項６】
前記エヤリ点保持手段は、前記底板部と前記第１側板部と前記第２側板部と前記第１天板部と前記第２天板部とのそれぞれの内面に前記少なくとも１本の長尺ガラス管を囲むように凸状に形成された凸状締め付け部によって構成されている、請求項５記載のガラス管包装体。
【請求項７】
前記凸状締め付け部は、前記底板部、前記第１側板部、前記第２側板部、前記第１天板部および前記第２天板部と一体に形成されている、請求項６記載のガラス管包装体。
【請求項８】
前記凸状締め付け部の断面は、台形形状をしている、請求項６記載のガラス管包装体。
【請求項９】
前記凸状締め付け部は、前記底板部と前記第１側板部と前記第２側板部と前記第１天板部と前記第２天板部とのそれぞれの内面を潰すように木型によって押圧することによって形成される、請求項６記載のガラス管包装体。
【請求項１０】
前記ダンボール部材は、ＡＢフルートのダンボール材料によって構成されている、請求項１記載のガラス管包装体。
【請求項１１】
前記エヤリ点保持手段は、前記少なくとも１本の長尺ガラス管を前記２箇所のエヤリ点において保持するために約１８０度折り曲げられた折り曲げ部が形成された折り曲げダンボール部材を含んでいる、請求項１記載のガラス管包装体。
【請求項１２】
前記折り曲げダンボール部材は、Ａフルートのダンボール材料によって構成されている、請求項１１記載のガラス管包装体。
【請求項１３】
前記折り曲げダンボール部材は、前記ダンボール部材の前記底板部と前記第１側板部と前記第２側板部と前記第１天板部とのそれぞれの内面に沿って配置されている、請求項１１記載のガラス管包装体。
【請求項１４】
前記長尺ガラス管は、蛍光灯であり、
前記ダンボール部材は、前記蛍光灯の端面に設けられた端子を保持するための端子保持部材を有しており、
前記折り曲げダンボール部材は、前記端子保持部材に接するように配置されている、請求項１１記載のガラス管包装体。
【請求項１５】
前記折り曲げダンボール部材の前記折り曲げ部は、前記少なくとも１本の長尺ガラス管を囲むように形成されている、請求項１１記載のガラス管包装体。
【請求項１６】
前記折り曲げダンボール部材は、前記ダンボール部材の前記底板部と対向するように配置された底板と、
前記ダンボール部材の前記第１側板部と対向するように前記底板と一体に形成された第１側板と、
前記ダンボール部材の前記第２側板部と対向するように前記底板と一体に形成された第２側板と、
前記ダンボール部材の前記第１天板部と対向するように前記第１側板と一体に形成された第１天板と、
前記第１天板と対向するように前記第２側板と一体に形成された第２天板とを有しており、
前記折り曲げダンボール部材の前記折り曲げ部は、前記折り曲げダンボール部材の前記第１天板と前第１側板と前記底板と前記第２側板と前記第２天板とに渡って直線状に折り曲げられている、請求項１１記載のガラス管包装体。
【請求項１７】
前記ダンボール部材は、前記少なくとも１本の長尺ガラス管を載せるために形成された底板部と、
前記少なくとも１本の長尺ガラス管の長手方向に沿って前記少なくとも１本の長尺ガラス管を両側から囲むように前記底板部の両端から前記底板部に垂直な方向に沿って前記底板部と一体に形成された第１側板部および第２側板部と、
前記第１側板部から前記底板部に平行な方向に沿って前記少なくとも１本の長尺ガラス管を覆うように前記第１側板部と一体に形成された第１天板と、
前記第２側板部から前記底板部に平行な方向に沿って前記第１天板を覆うように前記第２側板部と一体に形成された第２天板とを含んでおり、
前記第１天板と前記第２天板とを接着するためのダンボール用接着剤をさらに具備する、請求項１記載のガラス管包装体。
【請求項１８】
前記ダンボール用接着剤は、前記エヤリ点に相当する位置に塗布されている、請求項１７記載のガラス管包装体。
【請求項１９】
前記ダンボール用接着剤は、前記長尺ガラス管の長手方向に沿って３箇所に塗布されている、請求項１７記載のガラス管包装体。
【請求項２０】
前記ダンボール用接着剤は、前記長尺ガラス管の長手方向に沿って点状に塗布されており、
前記ダンボール用接着剤によって接着された前記第１天板と前記第２天板との間には、前記点状に塗布された各ダンボール用接着剤の間において人間の指を挿し込むことができる程度の隙間が形成されている、請求項１７記載のガラス管包装体。
【請求項２１】
前記長尺ガラス管は、蛍光灯であり、
前記ダンボール部材は、前記少なくとも１本の長尺ガラス管を載せるために形成された底板部と、
前記少なくとも１本の長尺ガラス管の長手方向に沿って前記少なくとも１本の長尺ガラス管を両側から囲むように前記底板部の両端から前記底板部に垂直な方向に沿って前記底板部と一体に形成された第１側板部および第２側板部と、
前記第１側板部から前記底板部に平行な方向に沿って前記少なくとも１本の長尺ガラス管を覆うように前記第１側板部と一体に形成された第１天板と、
前記第２側板部から前記底板部に平行な方向に沿って前記第１天板を覆うように前記第２側板部と一体に形成された第２天板と、
前記蛍光灯の端面に設けられた端子を保持するための端子保持部材とを含んでおり、
前記端子保持部材は、前記底板部に垂直な方向に沿って前記端子と対向するように前記底板部と一体に形成された第１端側面と、
前記第１側板に垂直な方向に沿って前記端子と対向するように前記第１側板と一体に形成された第２端側面と、
前記第２側板に垂直な方向に沿って前記端子と対向するように前記第２側板と一体に形成された第３端側面とを有している、請求項１記載のガラス管包装体。
【請求項２２】
前記第１端側面乃至前記第３端側面は、互いに重なり合うように設けられている、請求項２１記載のガラス管包装体。
【請求項２３】
前記端子保持部材は、前記第２天板に垂直な方向に沿って前記端子と対向するように前記第２天板と一体に形成された第４端側面をさらに有している、請求項２１記載のガラス管包装体。
【請求項２４】
前記少なくとも１本の長尺ガラス管は、複数本の長尺ガラス管である、請求項１記載のガラス管包装体。
【請求項２５】
請求項１記載のガラス管包装体によって少なくとも１本のガラス管を包装するためのガラス管包装方法であって、
前記ダンボール部材は、前記少なくとも１本の長尺ガラス管を載せるために形成された底板部と、
前記少なくとも１本の長尺ガラス管の長手方向に沿って前記長尺ガラス管を両側から囲むように前記底板部の両端から前記底板部に垂直な方向に沿って前記底板部と一体に形成された第１側板部および第２側板部と、
前記第１側板部から前記底板部に平行な方向に沿って前記長尺ガラス管を覆うように前記第１側板部と一体に形成された第１天板と、
前記第２側板部から前記底板部に平行な方向に沿って前記第１天板を覆うように前記第２側板部と一体に形成された第２天板とを含んでおり、
実質的に水平な方向に沿って前記底板部が保持されており、上方向に向かって開口するように前記第１側板部と前記第２側板部が保持された前記ダンボール部材に、前記第１側板部と前記底板部と前記第２側板部とによって包まれるように前記ガラス管を詰め込む詰め込み工程と、
実質的に水平な方向に沿って前記第２側板部側に前記第１天板を折り曲げる第１折り曲げ工程と、
前記長尺ガラス管の長手方向に沿った２箇所のエヤリ点において前記長尺ガラス管を前記エヤリ点保持手段によって保持するために、前記第２側板を前記第１折り曲げ工程によって折り曲げられた前記第１天板に向かって押し出しながら、前記第１天板を覆うように前記第２天板を折り曲げる第２折り曲げ工程とを包含することを特徴とするガラス管包装方法。
【請求項２６】
前記長尺ガラス管は、蛍光灯であり、
前記ダンボール部材は、前記蛍光灯の端面に設けられた端子を保持するための端子保持部材を有しており、
前記第２折り曲げ工程の後で、前記蛍光灯の端面に設けられた端子を保持するように前記端子保持部材を折り曲げる第３折り曲げ工程をさらに包含する、請求項２５記載のガラス管包装方法。
【請求項２７】
前記端子保持部材は、前記底板部に垂直な方向に沿って前記端子と対向するように前記底板部と一体に形成された第１端側面と、
前記第１側板に垂直な方向に沿って前記端子と対向するように前記第１側板と一体に形成された第２端側面と、
前記第２側板に垂直な方向に沿って前記端子と対向するように前記第２側板と一体に形成された第３端側面とをさらに含んでおり、
前記第３折り曲げ工程は、前記端子と対向するように前記第１端側面を折り曲げる第１端側面折り曲げ工程と、
前記第１端側面折り曲げ工程によって折り曲げられた前記第１端側面を覆うように前記第２端側面を折り曲げる第２端側面折り曲げ工程と、
前記第２端側面折り曲げ工程によって折り曲げられた前記第２端側面を覆うように前記第３端側面を折り曲げる第３端側面折り曲げ工程とを含んでいる、請求項２６記載のガラス管包装方法。
【請求項２８】
前記端子保持部材は、前記第２天板に垂直な方向に沿って前記端子と対向するように前記第２天板と一体に形成された第４端側面をさらに含んでおり、
前記第３折り曲げ工程は、第３端側面折り曲げ工程によって折り曲げられた前記第３端側面を覆うように前記第４端側面を折り曲げる第４端側面折り曲げ工程をさらに含んでいる、請求項２７記載のガラス管包装方法。
【請求項２９】
前記長尺ガラス管は、蛍光灯であり、
前記ダンボール部材は、前記蛍光灯の一方の端面に設けられた第１端子を保持するための第１端子保持部材と、前記蛍光灯の他方の端面に設けられた第２端子を保持するための第２端子保持部材とを有しており、
前記詰め込み工程の前に、前記第１端子保持部材を折り曲げる第１端子保持部材折り曲げ工程と、
前記詰め込み工程の後に、前記折り曲げられた第１端子保持部材に向かって前記複数本の蛍光灯を押し込む押し込み工程とをさらに包含する、請求項２５記載のガラス管包装方法。
【請求項３０】
前記第２折り曲げ工程の後で、前記蛍光灯に設けられた第２端子を覆うように前記第２端子保持部材を折り曲げる工程をさらに包含する、請求項２９記載のガラス管包装方法。
【請求項３１】
前記エヤリ点保持手段は、前記底板部と前記第１側板部と前記第２側板部と前記第１天板部と前記第２天板部とのそれぞれの内面に前記長尺ガラス管を囲むように凸状に形成された凸状締め付け部によって構成されており、
前記詰め込み工程の前に、前記底板部と前記第１側板部と前記第２側板部と前記第１天板部と前記第２天板部とのそれぞれの内面を潰すように木型によって押圧して前記凸状締め付け部を形成する工程をさらに包含する、請求項２５記載のガラス管包装方法。
【請求項３２】
前記エヤリ点保持手段は、前記長尺ガラス管を前記２箇所のエヤリ点において保持するために約１８０度折り曲げられた折り曲げ部が形成された折り曲げダンボール部材を含んでおり、
前記詰め込み工程の前に、前記折り曲げダンボール部材を前記ダンボール部材に挿入する工程をさらに包含する、請求項２５記載のガラス管包装方法。
【発明の詳細な説明】
【０００１】
【発明の属する技術分野】
本発明は、複数本の長尺ガラス管を包装するためのガラス管包装体およびガラス管包装方法に関する。
【０００２】
【従来の技術】
特開平１０−１１４３８２号公報には、複数本の長尺ガラス管を複数段に整列積載し、その両端部をフィルム袋体によってシュリンクして結束したガラス管包装体が開示されている。
【０００３】
特開平０９−２９５６８６号公報には、基台上に、複数本の長尺ガラス管を一定間隔で平行に保持する複数の凹部を上下両面側に具備したスペーサを介して複数段積載し、その上を箱で覆ったガラス管包装体が開示されている。
【０００４】
【特許文献１】
特開平１０−１１４３８２号公報
【特許文献２】
特開平０９−２９５６８６号公報
【０００５】
【発明が解決しようとする課題】
しかしながら、前述した特開平１０−１１４３８２号公報のガラス管包装体では、輸送時に衝撃が加わると、結束されたガラス管にキズが生じ、または破損するおそれがあるという問題がある。また、輸送時の振動により、ガラス管の内面に塗布された蛍光膜が剥げ落ちるおそれがあるという問題がある。
【０００６】
また、前述した特開平０９−２９５６８６号公報のガラス管包装体では、前述したキズ、破損および蛍光膜の剥げ落ちを防止するために、複数の凹部を上下両面側に具備したスペーサを設ける必要があるので、ガラス管包装体の構成が複雑になり、コストも高くなるという問題がある。
【０００７】
本発明の目的は、包装された複数本のガラス管を簡単な構成によって安全に輸送することができるガラス管包装体およびガラス管包装方法を提供することにある。
【０００８】
【課題を解決するための手段】
本発明に係るガラス管包装体は、少なくとも１本の長尺ガラス管を包装するためのガラス管包装体であって、前記少なくとも１本の長尺ガラス管を包むためのダンボール部材と、前記長尺ガラス管の長手方向に沿った２箇所のエヤリ点において前記長尺ガラス管を保持するように前記ダンボール部材に設けられたエヤリ点保持手段とを具備することを特徴とする。
【０００９】
本発明に係るガラス管包装方法は、本発明に係るガラス管包装体によって少なくとも１本のガラス管を包装するためのガラス管包装方法であって、前記ダンボール部材は、前記少なくとも１本の長尺ガラス管を載せるために形成された底板部と、前記少なくとも１本の長尺ガラス管の長手方向に沿って前記複数本の長尺ガラス管を両側から囲むように前記底板部の両端から前記底板部に垂直な方向に沿って前記底板部と一体に形成された第１側板部および第２側板部と、前記第１側板部から前記底板部に平行な方向に沿って前記複数本の長尺ガラス管を覆うように前記第１側板部と一体に形成された第１天板と、前記第２側板部から前記底板部に平行な方向に沿って前記第１天板を覆うように前記第２側板部と一体に形成された第２天板とを含んでおり、実質的に水平な方向に沿って前記底板部が保持されており、上方向に向かって開口するように前記第１側板部と前記第２側板部が保持された前記ダンボール部材に、前記第１側板部と前記底板部と前記第２側板部とによって包まれるように前記ガラス管を詰め込む詰め込み工程と、実質的に水平な方向に沿って前記第２側板部側に前記第１天板を折り曲げる第１折り曲げ工程と、前記長尺ガラス管の長手方向に沿った２箇所のエヤリ点において前記長尺ガラス管を前記エヤリ点保持手段によって保持するために、前記第２側板を前記第１折り曲げ工程によって折り曲げられた前記第１天板に向かって押し出しながら、前記第１天板を覆うように前記第２天板を折り曲げる第２折り曲げ工程とを包含することを特徴とする。
【００１０】
【発明の実施の形態】
本実施の形態に係るガラス管包装体においては、長尺ガラス管の長手方向に沿った２箇所のエヤリ点において長尺ガラス管を保持するようにエヤリ点保持手段がダンボール部材に設けられている。このため、エヤリ点において保持された長尺ガラス管は、凸状にも凹状にも撓まないように保持される。その結果、少なくとも１本のガラス管を簡単な構成によって安全に輸送することができるガラス管包装体を得ることができる。
【００１１】
前記エヤリ点は、前記長尺ガラス管が凸状にも凹状にも撓まないように前記長尺ガラス管を支持することができる位置を示すことが好ましい。
【００１２】
前記エヤリ点は、全長Ｌの前記長尺ガラス管の両端から中央に向かって距離０．２１１３Ｌだけそれぞれ離れた位置を示すことが好ましい。
【００１３】
前記長尺ガラス管は、蛍光灯であることが好ましい。
【００１４】
前記ダンボール部材は、前記少なくとも１本の長尺ガラス管を載せるために形成された底板部と、前記前記少なくとも１本の長尺ガラス管の長手方向に沿って前記少なくとも１本の長尺ガラス管を両側から囲むように前記底板部の両端から前記底板部に垂直な方向に沿って前記底板部と一体に形成された第１側板部および第２側板部と、前記第１側板部から前記底板部に平行な方向に沿って前記少なくとも１本の長尺ガラス管を覆うように前記第１側板部と一体に形成された第１天板と、前記第２側板部から前記底板部に平行な方向に沿って前記第１天板を覆うように前記第２側板部と一体に形成された第２天板とを含んでいることが好ましい。
【００１５】
前記エヤリ点保持手段は、前記底板部と前記第１側板部と前記第２側板部と前記第１天板部と前記第２天板部とのそれぞれの内面に前記少なくとも１本の長尺ガラス管を囲むように凸状に形成された凸状締め付け部によって構成されていることが好ましい。
【００１６】
前記凸状締め付け部は、前記底板部、前記第１側板部、前記第２側板部、前記第１天板部および前記第２天板部と一体に形成されていることが好ましい。
【００１７】
前記凸状締め付け部の断面は、台形形状をしていることが好ましい。
【００１８】
前記凸状締め付け部は、前記底板部と前記第１側板部と前記第２側板部と前記第１天板部と前記第２天板部とのそれぞれの内面を潰すように木型によって押圧することによって形成されることが好ましい。
【００１９】
前記ダンボール部材は、ＡＢフルートのダンボール材料によって構成されていることが好ましい。
【００２０】
前記エヤリ点保持手段は、前記少なくとも１本の長尺ガラス管を前記２箇所のエヤリ点において保持するために約１８０度折り曲げられた折り曲げ部が形成された折り曲げダンボール部材を含んでいることが好ましい。
【００２１】
前記折り曲げダンボール部材は、Ａフルートのダンボール材料によって構成されていることが好ましい。
【００２２】
前記折り曲げダンボール部材は、前記ダンボール部材の前記底板部と前記第１側板部と前記第２側板部と前記第１天板部とのそれぞれの内面に沿って配置されていることが好ましい。
【００２３】
前記長尺ガラス管は、蛍光灯であり、前記ダンボール部材は、前記蛍光灯の端面に設けられた端子を保持するための端子保持部材を有しており、前記折り曲げダンボール部材は、前記端子保持部材に接するように配置されていることが好ましい。
【００２４】
前記折り曲げダンボール部材の前記折り曲げ部は、前記少なくとも１本の長尺ガラス管を囲むように形成されていることが好ましい。
【００２５】
前記折り曲げダンボール部材は、前記ダンボール部材の前記底板部と対向するように配置された底板と、前記ダンボール部材の前記第１側板部と対向するように前記底板と一体に形成された第１側板と、前記ダンボール部材の前記第２側板部と対向するように前記底板と一体に形成された第２側板と、前記ダンボール部材の前記第１天板部と対向するように前記第１側板と一体に形成された第１天板と、前記第１天板と対向するように前記第２側板と一体に形成された第２天板とを有しており、前記折り曲げダンボール部材の前記折り曲げ部は、前記折り曲げダンボール部材の前記第１天板と前第１側板と前記底板と前記第２側板と前記第２天板とに渡って直線状に折り曲げられていることが好ましい。
【００２６】
前記ダンボール部材は、前記少なくとも１本の長尺ガラス管を載せるために形成された底板部と、前記少なくとも１本の長尺ガラス管の長手方向に沿って前記複数本の長尺ガラス管を両側から囲むように前記底板部の両端から前記底板部に垂直な方向に沿って前記底板部と一体に形成された第１側板部および第２側板部と、前記第１側板部から前記底板部に平行な方向に沿って前記少なくとも１本の長尺ガラス管を覆うように前記第１側板部と一体に形成された第１天板と、前記第２側板部から前記底板部に平行な方向に沿って前記第１天板を覆うように前記第２側板部と一体に形成された第２天板とを含んでおり、前記第１天板と前記第２天板とを接着するためのダンボール用接着剤をさらに具備することが好ましい。
【００２７】
前記ダンボール用接着剤は、前記エヤリ点に相当する位置に塗布されていることが好ましい。
【００２８】
前記ダンボール用接着剤は、前記長尺ガラス管の長手方向に沿って３箇所に塗布されていることが好ましい。
【００２９】
前記ダンボール用接着剤は、前記長尺ガラス管の長手方向に沿って点状に塗布されており、前記ダンボール用接着剤によって接着された前記第１天板と前記第２天板との間には、前記点状に塗布された各ダンボール用接着剤の間において人間の指を挿し込むことができる程度の隙間が形成されていることが好ましい。
【００３０】
前記長尺ガラス管は、蛍光灯であり、前記ダンボール部材は、前記少なくとも１本の長尺ガラス管を載せるために形成された底板部と、前記少なくとも１本の長尺ガラス管の長手方向に沿って前記少なくとも１本の長尺ガラス管を両側から囲むように前記底板部の両端から前記底板部に垂直な方向に沿って前記底板部と一体に形成された第１側板部および第２側板部と、前記第１側板部から前記底板部に平行な方向に沿って前記少なくとも１本の長尺ガラス管を覆うように前記第１側板部と一体に形成された第１天板と、前記第２側板部から前記底板部に平行な方向に沿って前記第１天板を覆うように前記第２側板部と一体に形成された第２天板と、前記蛍光灯の端面に設けられた端子を保持するための端子保持部材とを含んでおり、前記端子保持部材は、前記底板部に垂直な方向に沿って前記端子と対向するように前記底板部と一体に形成された第１端側面と、前記第１側板に垂直な方向に沿って前記端子と対向するように前記第１側板と一体に形成された第２端側面と、前記第２側板に垂直な方向に沿って前記端子と対向するように前記第２側板と一体に形成された第３端側面とを有していることが好ましい。
【００３１】
前記第１端側面乃至前記第３端側面は、互いに重なり合うように設けられていることが好ましい。
【００３２】
前記端子保持部材は、前記第２天板に垂直な方向に沿って前記端子と対向するように前記第２天板と一体に形成された第４端側面をさらに有していることが好ましい。
【００３３】
前記少なくとも１本の長尺ガラス管は、複数本の長尺ガラス管であることが好ましい。
【００３４】
本実施の形態に係るガラス管包装方法においては、長尺ガラス管の長手方向に沿った２箇所のエヤリ点において長尺ガラス管をエヤリ点保持手段によって保持するために、第２側板を第１折り曲げ工程によって折り曲げられた第１天板に向かって押し出しながら、第１天板を覆うように第２天板が折り曲げられる。このため、エヤリ点において保持された長尺ガラス管は、凸状にも凹状にも撓まないように保持される。その結果、前記少なくとも１本のガラス管を簡単な構成によって安全に輸送することができるガラス管包装体を得ることができる。
【００３５】
前記長尺ガラス管は、蛍光灯であり、前記ダンボール部材は、前記蛍光灯の端面に設けられた端子を保持するための端子保持部材を有しており、前記第２折り曲げ工程の後で、前記蛍光灯の端面に設けられた端子を保持するように前記端子保持部材を折り曲げる第３折り曲げ工程をさらに包含することが好ましい。
【００３６】
前記端子保持部材は、前記底板部に垂直な方向に沿って前記端子と対向するように前記底板部と一体に形成された第１端側面と、前記第１側板に垂直な方向に沿って前記端子と対向するように前記第１側板と一体に形成された第２端側面と、前記第２側板に垂直な方向に沿って前記端子と対向するように前記第２側板と一体に形成された第３端側面とをさらに含んでおり、前記第３折り曲げ工程は、前記端子と対向するように前記第１端側面を折り曲げる第１端側面折り曲げ工程と、前記第１端側面折り曲げ工程によって折り曲げられた前記第１端側面を覆うように前記第２端側面を折り曲げる第２端側面折り曲げ工程と、前記第２端側面折り曲げ工程によって折り曲げられた前記第２端側面を覆うように前記第３端側面を折り曲げる第３端側面折り曲げ工程とを含んでいることが好ましい。
【００３７】
前記端子保持部材は、前記第２天板に垂直な方向に沿って前記端子と対向するように前記第２天板と一体に形成された第４端側面をさらに含んでおり、前記第３折り曲げ工程は、第３端側面折り曲げ工程によって折り曲げられた前記第３端側面を覆うように前記第４端側面を折り曲げる第４端側面折り曲げ工程をさらに含んでいることが好ましい。
【００３８】
前記長尺ガラス管は、蛍光灯であり、前記ダンボール部材は、前記蛍光灯の一方の端面に設けられた第１端子を保持するための第１端子保持部材と、前記蛍光灯の他方の端面に設けられた第２端子を保持するための第２端子保持部材とを有しており、前記詰め込み工程の前に、前記第１端子保持部材を折り曲げる第１端子保持部材折り曲げ工程と、前記詰め込み工程の後に、前記折り曲げられた第１端子保持部材に向かって前記複数本の蛍光灯を押し込む押し込み工程とをさらに包含することが好ましい。
【００３９】
前記第２折り曲げ工程の後で、前記蛍光灯に設けられた第２端子を覆うように前記第２端子保持部材を折り曲げる工程をさらに包含することが好ましい。
【００４０】
前記エヤリ点保持手段は、前記底板部と前記第１側板部と前記第２側板部と前記第１天板部と前記第２天板部とのそれぞれの内面に前記長尺ガラス管を囲むように凸状に形成された凸状締め付け部によって構成されており、前記詰め込み工程の前に、前記底板部と前記第１側板部と前記第２側板部と前記第１天板部と前記第２天板部とのそれぞれの内面を潰すように木型によって押圧して前記凸状締め付け部を形成する工程をさらに包含することが好ましい。
【００４１】
前記エヤリ点保持手段は、前記長尺ガラス管を前記２箇所のエヤリ点において保持するために約１８０度折り曲げられた折り曲げ部が形成された折り曲げダンボール部材を含んでおり、前記詰め込み工程の前に、前記折り曲げダンボール部材を前記ダンボール部材に挿入する工程をさらに包含することが好ましい。
【００４２】
以下、図面を参照して本発明の実施の形態を説明する。
【００４３】
図１は実施の形態に係るガラス管包装体１００の外観を示す斜視図であり、図２は図１に示すＡ方向から見たガラス管包装体１００の部分断面図であり、図３は図１に示すＢ方向から見た蛍光灯１４を包装したガラス管包装体１００の断面図であり、図４は図１に示すＢ方向から見た蛍光灯１４を包装する前のガラス管包装体１００の断面図であり、図５は蛍光灯１４の構成を示す正面図であり、図６は実施の形態に係るガラス管包装体１００を構成するダンボール部材７の展開図である。
【００４４】
ガラス管包装体１００は、長方体形状をしており、５段×５列に山谷状に積み上げられた２５本の蛍光灯１４を互いに密着させて包装し、この２５本の蛍光灯１４を締め付けるように包むためのダンボール部材７によって構成されている。ダンボール部材７は、日本工業規格（ＪＩＳ  Ｐ３９０２、ＪＩＳ  Ｐ３９０４）によって規定されるＡＢフルートによって構成されている。
【００４５】
ＡＢフルートは、段山数３４±２／３０センチメートル（ＪＩＳ）で厚み約５ミリメートルのＡフルートと段山数５４±２／３０センチメートル（ＪＩＳ）で厚み約３ミリメートルのＢフルートとが互いに積層されて構成されている。従って、ＡＢフルートの厚みは約８ミリメートルである。ＡＢフルートは、高い湿度においてもダンボール強度が高いという特性を有しているため、ダンボール部材７をＡＢフルートによって構成すると、形状安定性が良好になる。
【００４６】
蛍光灯１４は略円筒形状をしており、蛍光灯１４の両端には、円板形状をした金属製の端部１５が設けられている。各端部１５には、円柱形状をした２本の端子１６が、蛍光灯１４の長手方向に沿って突出するようにそれぞれ設けられている。蛍光灯１４の一方の端子１６の先端から他方の端子１６の先端までの全長Ｌは、例えば１２１３．６ミリメートル（ＪＩＳ  ４０ｗタイプ）である。
【００４７】
蛍光灯１４を載せるために長方形状に形成された底板部６をダンボール部材７は有している。蛍光灯１４の長手方向に沿って蛍光灯１４を両側から囲むように底板部６の両端から底板部６に垂直な方向に沿って底板部６と一体にそれぞれ形成された略長方形状の側板部４および側板部５とがダンボール部材７には設けられている。側板部４および側板部５は、５段×５列に積み上げられた２５本の蛍光灯１４に押し付けられるようにそれぞれ形成されている。
【００４８】
側板部５から底板部６に平行な方向に沿って蛍光灯１４を覆うように側板部５と一体に形成された天板１をダンボール部材７は有している。天板１には、略半円形状をした６個の凹部が互いに所定の間隔を空けて形成されている。天板１の両端に形成された凹部とその凹部に隣接する凹部との間には、側板部４の内面１３に向かって押し付けられるように形成された２つの端面２がそれぞれ設けられている。
【００４９】
端面２から側板５の内面２６までの幅Ｗ１は、例えば約１５２．５ミリメートルであり、底面６の内面の幅Ｗ２よりもＷ３＝約１０ミリメートル狭くなっている。全長Ｌの蛍光灯１４の両端から距離Ｌ２＝０．２１１３Ｌの位置であるエヤリ点（Ａｉｒｙ  ｐｏｉｎｔ）および／またはその近傍に相当する２つの位置に端面２は形成されている。ここでエヤリ点とは、梁が凸状にも凹状にも撓まないように梁を支持することができる梁の長手方向に沿った２箇所の位置をいう。２つのエヤリ点および／またはその近傍において保持された蛍光灯は、凸状に撓むこともなく、凹状に撓むこともなく、長手方向に沿って一直線の形状に維持される。
【００５０】
ダンボール部材７には、側板部４から底板部６に平行な方向に沿って天板１を覆うように略長方形状の天板３が側板部４と一体に形成されている。
【００５１】
天板１の天板３によって覆われる側の表面には、天板１と天板３とを接着するためのダンボール用接着剤が塗布された略円形状の接着領域２７、２８および２９が、互いに所定の間隔を空けて長手方向に沿って配置されている。両側の接着領域２７および２９は、全長Ｌの蛍光灯１４のエヤリ点および／またはその近傍に相当する２つの位置にそれぞれ配置されている。ダンボール用接着剤は、例えば−３０℃〜６０℃において接着に使用されるホットメルトによって構成されており、ホットメルトスプレーガンによって接着領域２７、２８および２９にそれぞれ塗布される。
【００５２】
ダンボール用接着剤によって接着された天板１と天板３との間には、点状に塗布された各ダンボール用接着剤の間において人間の指を挿し込むことができる程度の隙間が形成されている。このため、蛍光灯１４を包装したダンボール部材７を開梱するために、天板１と天板３との間の隙間に指を差し込むことによって、ダンボール用接着剤によって天板１に接着された天板３を天板１から容易に引き離すことができる。
【００５３】
このように、天板１に形成された端面２が側板部４の内面１３に押し付けられるように、側板部５と側板部４とによって蛍光灯１４を押圧するので、ダンボール部材７の弾性力に基づいて５段×５列の蛍光灯１４が締め付けられる。
【００５４】
ダンボール部材７は、蛍光灯１４の端部１５に設けられた端子１６を保持するための端子保持部材８を有している。端子保持部材８は、底板部６に垂直な方向に沿って端子１６と対向するように折り曲げられ、底板部６と一体に形成された端側面９と、側板部５に垂直な方向に沿って端子１６と対向するように側板部５と一体に形成された端側面１１と、側板部４に垂直な方向に沿って端子１６と対向するように側板部４と一体に形成された端側面１０と、天板３に垂直な方向に沿って端子１６と対向するように天板３と一体に形成された端側面１２を含んでいる。
【００５５】
端側面９、端側面１１、端側面１０および端側面１２は、互いに重なり合うように折り曲げられている。端側面９、端側面１１、端側面１０および端側面１２を互いに重なり合うように折り曲げるために、底板部６と側板部４との間、底板部６と側板部５との間および側板部４と天板３との間には、所定の段差がそれぞれ形成されている。
【００５６】
端側面９、端側面１１、端側面１０および端側面１２は、互いに重なり合うように設けられており、ＡＢフルートの厚みは、前述したように約８ミリメートルである。従って、端側面９、端側面１１、端側面１０および端側面１２の総厚みは、約３２ミリメートルである。端側面９、端側面１１、端側面１０および端側面１２によって保持される蛍光灯１４の端子１６の長さは、約６．６０ミリメートル〜約７．６２ミリメートルである。従って、蛍光灯１４の端子１６は、端側面９、端側面１１、端側面１０および端側面１２を突き抜けることはない。
【００５７】
また、ＡＢフルートの端側面９、端側面１１、端側面１０および端側面１２が互いに４層に重なり合うように設けられているので、耐湿性を高めることができる。
【００５８】
図７はガラス管包装体１００によって蛍光灯１４を包装するための包装組立て装置１５０の外観を示す斜視図であり、図８〜図１０は包装組立て装置の構成および動作を説明するための断面図である。
【００５９】
包装組立て装置１５０は、ベース２１を備えている。ベース２１は、ガラス管包装体１００を構成するダンボール部材７の底板部６をその上に保持する。ベース２１には、ダンボール部材７の側板部５を保持するための側板部保持部材２２と、ベース２１上に設けられた支点４３の周りに回動自在に設けられ、ダンボール部材７を挟んで側板部保持部材２２と対向するように設けられた押し出し屈曲器２３とが配置されている。支点４３には、アーム４６が回動自在に取り付けられている。アーム４６には、樹脂製の側板部２４がダンボール部材７の側板部４を押圧するために設けられている。
【００６０】
アーム４６の先端には、支点４４が設けられている。支点４４には、アーム４７が支点４４の周りに回動自在に取り付けられている。アーム４７には、樹脂製の側板部２５がダンボール部材７の天板３を折り曲げるために設けられている。アーム４７の先端には、支点４５が設けられている。支点４５には、アーム４７を側板部保持部材２２にロックするためのロック部材３１が支点４５の周りに回動自在に取り付けられている。
【００６１】
このように構成された包装組立て装置１５０によってガラス管包装体１００に複数の蛍光灯１４を包装するガラス管包装方法を説明する。図１１は実施の形態に係るガラス管包装方法の手順を示すフローチャートである。
【００６２】
まず、図８に示すように、ベース２１に底板部６が保持されており、上方向に向かって開口するように側板部５が側板部保持部材２２によって保持され、側板部４が側板部押え２４によって保持されるように、側板部保持部材２２と押出屈曲器２３との間にダンボール部材７を置く（ステップＳ１）。
【００６３】
そして、ダンボール部材７の一方の端側面９を蛍光灯１４の端子１５と対向するように折り曲げる。次に、端側面９を覆うように端側面１０を折り曲げ、端側面１０を覆うように端側面１１を折り曲げて端側面１１を覆うように端側面１２を折り曲げる（ステップＳ２）。
【００６４】
そして、上方向に向かって開口するダンボール部材７に、側板部５と底板部６と側板部４とによって包まれるように２５本のガラス管を５段×５列に詰め込む（ステップＳ３）。
【００６５】
その後、折り曲げられた一方の端側面９、端側面１０、端側面１１および端側面１２に向かって５段×５列の蛍光灯１４を押し込む（ステップＳ４）。次に、図９に示すように、実質的に水平な方向に沿って側板部４側に天板１を折り曲げる（ステップＳ５）。その後、天板１の接着領域２７、２８および２９にダンボール用接着剤をスプレーガンによって塗布する。
【００６６】
そして、ダンボール部材７の弾性力に基づいて５段×５列の蛍光灯１４を締め付けるために、ステップＳ５によって折り曲げられた天板１の端面２に向かって側板部４を押し出すようにアーム４６を支点４３の周りに回動させながら、天板１を覆うように天板３を折り曲げるために、アーム４７を支点４４の周りに回動させて天板部押え２５によって天板３を押圧する（ステップ６）。次に、アーム４７を側板部保持部材２２にロックするために、アーム４７に取り付けられたロック部材３１を支点４５の周りに回動させる。その後、天板１の接着領域２７、２８および２９に塗布されたダンボール用接着剤によって天板３が天板１と接着する。
【００６７】
そして、ダンボール部材７の他方の端側面９を蛍光灯１４の端子１５と対向するように折り曲げる。次に、他方の端側面９を覆うように他方の端側面１０を折り曲げ、他方の端側面１０を覆うように他方の端側面１１を折り曲げて他方の端側面１１を覆うように他方の端側面１２を折り曲げる（ステップＳ７）。
【００６８】
その後、アーム４７の側板部保持部材２２へのロックを解除するように、アーム４７に取り付けられたロック部材３１を支点４５の周りに回動させる。そして、天板１に接着された天板３から天板部押え２５が離れるようにアーム４７を支点４４の周りに回動させ、側板部押え２４が側板部４から離れるようにアーム４６を支点４３の回りに回動させる。
【００６９】
以上のように本実施の形態によれば、ガラス管包装体１００へ作用する振動または衝撃によって蛍光灯１４が破損しないように、ダンボール部材７の弾性力に基づいて複数本の蛍光灯１４が締め付けられる。このため、包装された複数本の蛍光灯１４は、ダンボール部材７の弾性力に基づいて、ガラス管包装体１００へ作用する振動または衝撃によって破損しないように締め付けられる。その結果、包装された複数本の蛍光灯１４を簡単な構成によって安全に輸送することができる。
【００７０】
また、本実施の形態によれば、蛍光灯１４のキズ、破損および蛍光灯１４の蛍光膜の剥げ落ちを防止するために、複数の凹部を上下両面側に具備したスペーサを設ける必要がない。このため、ガラス管包装体の重量を従来品よりも約２０％低減することができ、また使用部品点数を削減することができる。その結果、ガラス管包装体を廃棄するときの作業性を向上させることができる。
【００７１】
図１２は、実施の形態に係るガラス管包装体を構成する他のダンボール部材７Ａの展開図である。図６を参照して前述したダンボール部材７の構成要素と同一の構成要素には同一の参照符号を付している。従って、これらの構成要素の詳細な説明は省略する。
【００７２】
天板部１Ａに形成される端面２Ａは、端面２Ａから側板部５の内面までの幅が底面６の内面の幅よりも狭くなるような凹曲面状に形成されている。このような形状に形成された端面２Ａを側板部４の内面に押し付けることによっても、包装された複数本の蛍光灯１４を、ダンボール部材７Ａの弾性力に基づいて、ガラス管包装体へ作用する振動または衝撃によって破損しないように締め付けることができる。
【００７３】
図１３は実施の形態に係るガラス管包装体を構成するさらに他のダンボール部材７Ｂの展開図であり、図１４は他のダンボール部材７Ｂに形成された凸状締め付け部３２を説明するための断面図であり、図１５は凸状締め付け部３２を説明するための斜視図である。図２および図６を参照して前述したダンボール部材７の構成要素と同一の構成要素には同一の参照符号を付している。従って、これらの構成要素の詳細な説明は省略する。
【００７４】
底板部６Ｂと側板部５Ｂと側板部４Ｂと天板部１Ｂと天板部３Ｂとのそれぞれの内面には、複数本の蛍光灯１４を囲むように長手方向に垂直な方向に沿って凸状に形成された略台形状の断面の凸状締め付け部３２が設けられている。
【００７５】
凸状締め付け部３２は、底板部６Ｂ、側板部５Ｂ、側板部４Ｂ、天板部１Ｂおよび天板部３Ｂと一体に形成されている。蛍光灯１４の長手方向に沿ってエヤリ点および／またはその近傍に相当する２つの位置に凸状締め付け部３２はそれぞれ形成されている。従って、梁が凸状にも凹状にも撓まないように梁を支持することができる梁の長手方向に沿った２箇所の位置を示すエヤリ点に形成された凸状締め付け部３２によって囲まれるように保持された蛍光灯は、凸状に撓むこともなく、凹状に撓むこともなく、長手方向に沿って一直線の形状に維持される。
【００７６】
凸状締め付け部３２は、Ｂフルート５２とＡフルート５１とが積層されたＡＢフルートによって構成された底板部６Ｂ、側板部５Ｂ、側板部４Ｂ、天板部１Ｂおよび天板部３Ｂにおける凸状締め付け部３２を形成すべき領域以外の領域を潰すように木型（抜き型）によって押圧することによって形成することができる。
【００７７】
このように構成された凸状締め付け部３２を設けると、凸状締め付け部３２の弾性力に基づいて複数本の蛍光灯１４を締め付けることができる。このため、包装された複数本のガラス管を簡単な構成によって安全に輸送することができる。
【００７８】
図１６は実施の形態に係るガラス管包装体を構成するさらに他のダンボール部材７Ｃの展開図であり、図１７はさらに他のダンボール部材７Ｃに装着される折り曲げダンボール部材４１を説明するための斜視図であり、図１８はさらに他のダンボール部材７Ｃに装着された折り曲げダンボール部材４１を説明するための断面図である。図２および図６を参照して前述したダンボール部材７の構成要素と同一の構成要素には同一の参照符号を付している。従って、これらの構成要素の詳細な説明は省略する。
【００７９】
ガラス管包装体は、折り曲げダンボール部材４１を備えている。ダンボール部材４１は、Ａフルートのダンボール材料によって構成されている。折り曲げダンボール部材４１には、複数本の蛍光灯１４を締め付けるために約１８０度折り曲げられた折り曲げ部４２が形成されている。折り曲げ部４２は、天板５４、側板５２、底板５１、側板５３および天板５５に渡って、折り曲げられている。
【００８０】
折り曲げダンボール部材４１は、蛍光灯１４の長手方向に沿ってエヤリ点および／またはその近傍に相当する位置に折り曲げ部４２が配置されるように、ダンボール部材７Ｃの底板部６Ｃと側板部４Ｃと側板部５Ｃとのそれぞれの内面に沿って挿入されている。
【００８１】
このように構成された折り曲げダンボール部材４１の折り曲げ部４２は、ダンボール部材の弾性力に基づいて複数本の蛍光灯１４を締め付ける。このため、包装された複数本の蛍光灯１４は、ダンボール部材の弾性力に基づいて、ガラス管包装体へ作用する振動または衝撃によって破損しないように締め付けられる。その結果、包装された複数本の蛍光灯１４を簡単な構成によって安全に輸送することができる。
【００８２】
なお、本実施の形態においては、山谷方式によって積み上げられた複数の蛍光灯１４を包装する例を示したが、本発明はこれに限定されない。山山方式によって積み上げられた複数の蛍光灯１４を包装してもよい。
【００８３】
また、５段×５列の２５本の蛍光灯１４を包装する例を示したが、包装する蛍光灯１４の段数、列数および本数はこれに限定されず、１段以上×１列以上であればよく、１本であってもよい。
【００８４】
さらに、本実施の形態においては、ＡＢフルートのダンボール部材によってガラス管包装体を構成した例を示したが、例えばＡフルート、Ｂフルート等のＡＢフルート以外のダンボール部材によって構成してもよい。
【００８５】
【発明の効果】
以上のように本発明によれば、包装された複数本のガラス管を簡単な構成によって安全に輸送することができるガラス管包装体およびガラス管包装方法を提供することができる。
【図面の簡単な説明】
【図１】実施の形態に係るガラス管包装体の外観を示す斜視図
【図２】図１に示すＡ方向から見たガラス管包装体の部分断面図
【図３】図１に示すＢ方向から見たガラス管包装体の断面図
【図４】図１に示すＢ方向から見た蛍光灯を包装する前のガラス管包装体の断面図
【図５】実施の形態に係るガラス管包装体によって包装される蛍光灯の構成を示す正面図
【図６】実施の形態に係るガラス管包装体を構成するダンボール部材の展開図
【図７】実施の形態に係るガラス管包装体によって蛍光灯を包装するための包装組立て装置の外観を示す斜視図
【図８】実施の形態に係る包装組立て装置の動作を説明するための断面図
【図９】実施の形態に係る包装組立て装置の動作を説明するための断面図
【図１０】実施の形態に係る包装組立て装置の動作を説明するための断面図
【図１１】実施の形態に係るガラス管包装方法の手順を示すフローチャート
【図１２】実施の形態に係るガラス管包装体を構成する他のダンボール部材の展開図
【図１３】実施の形態に係るガラス管包装体を構成するさらに他のダンボール部材の展開図
【図１４】実施の形態に係るガラス管包装体を構成するさらに他のダンボール部材に形成された凸状締め付け部を説明するための断面図
【図１５】実施の形態に係るガラス管包装体を構成するさらに他のダンボール部材に形成された凸状締め付け部を説明するための斜視図
【図１６】実施の形態に係るガラス管包装体を構成するさらに他のダンボール部材の展開図
【図１７】実施の形態に係るガラス管包装体を構成するさらに他のダンボール部材に装着される折り曲げダンボール部材を説明するための斜視図
【図１８】実施の形態に係るガラス管包装体を構成するさらに他のダンボール部材に装着された折り曲げダンボール部材を説明するための断面図
【符号の説明】
１  天板部
２  端面
３  側板部部
４  側板部
５  側板部
６  底板部
７  ダンボール部材
８  端子保持部材
９、１０、１１、１２  端側面
１３  内面
１４  蛍光灯
１５  端部
１６  端子
１７、１８  エヤリ点
１９  接着剤
２０  隙間
２１  ベース
２２  側板部保持部材
２３  押出し折り曲げ器
２４  側板部押え
２５  天板部押え
２６  内面
２７、２８、２９  接着領域
３１  ロック部材
３２  凸状締め付け部
４１  折り曲げダンボール部材
４２  折り曲げ部
【図１】
2004203391.tif 000003
【図２】
2004203391.tif 000004
【図３】
2004203391.tif 000005
【図４】
2004203391.tif 000006
【図５】
2004203391.tif 000007
【図６】
2004203391.tif 000008
【図７】
2004203391.tif 000009
【図８】
2004203391.tif 000010
【図９】
2004203391.tif 000011
【図１０】
2004203391.tif 000012
【図１１】
2004203391.tif 000013
【図１２】
2004203391.tif 000014
【図１３】
2004203391.tif 000015
【図１４】
2004203391.tif 000016
【図１５】
2004203391.tif 000017
【図１６】
2004203391.tif 000018
【図１７】
2004203391.tif 000019
【図１８】
2004203391.tif 000020